(57)【要約】      （修正有）【課題】対象を実際のサイズと略同じサイズで、かつ対象の実際の色合いと略同じ色合いで表示することができる表示装置を提供する。【解決手段】テレビジョン受像機３は、入力された画像データの画像についての、横方向の１ピクセル当たりの長さ情報Txと、縦方向の１ピクセル当たりの長さ情報Tyと、画像を表示する表示器６の表示領域の横方向の１ピクセル当たりの長さ情報Sxと、表示領域の縦方向の１ピクセル当たりの長さ情報Syとに基づいて、画像の横倍率Axと縦倍率Ayを計算し、計算して得られた横倍率Axと縦倍率Ayで画像の横方向と縦方向のサイズを変更する。さらに、テレビジョン受像機３は、画像データに色補正済みであることを示すフラグデータが含まれている場合には、画質調整部の画質調整機能を無効にして、変更されたサイズの画像を出力する。【選択図】図１
2014127857.tif 000002
【特許請求の範囲】
【請求項１】
表示器に表示される画像の画像データを入力する画像データ入力部と、
前記表示器に表示される前記画像を、指定された画質に調整する画質調整機能を有する画質調整部と、
入力された前記画像データの前記画像についての、横方向の１ピクセル当たりの第１の長さ情報と、縦方向の１ピクセル当たりの第２の長さ情報と、前記画像を表示する表示器の表示領域の横方向の１ピクセル当たりの第３の長さ情報と、前記表示器の前記表示領域の縦方向の１ピクセル当たりの第４の長さ情報とに基づいて、前記画像の横倍率と縦倍率を計算する倍率計算部と、
前記倍率計算部において計算して得られた前記横倍率と前記縦倍率で前記画像の横方向と縦方向のサイズを変更するサイズ変更部と、
前記画像データに色補正済みであることを示す情報あるいは色補正指示データが含まれている場合には、前記画質調整部の前記画質調整機能を無効にして、前記サイズ変更部において変更されたサイズの画像を出力する画像出力部と、
を有する表示装置。
【請求項２】
前記第１及び前記第２の長さ情報は、前記画像データに含まれている請求項１に記載の表示装置。
【請求項３】
前記画像データに含まれる前記色補正指示データに基づいて、前記画像の色を補正する色補正部を有する請求項１又は２に記載の表示装置。
【請求項４】
前記表示装置は、テレビジョン受像機又はセットトップボックスである請求項１、２又は３に記載の表示装置。
【発明の詳細な説明】
【技術分野】
【０００１】
本発明の実施形態は、表示装置に関する。
【背景技術】
【０００２】
近年、いわゆるネットショッピングが広く行われている。消費者であるネットショッピングのユーザは、パソコン（以下、PCという）、スマートフォンなどのインターネット接続可能な端末装置を利用して、Webサイト上で商品を購入する。  
ユーザは、端末装置を利用して、インターネット上のショッピングサイトにアクセスし、商品検索を行って、商品の画像を端末装置の画面上に表示させ、商品の購入を行う。
【０００３】
ネットショッピングでは、ユーザが商品を実際に見ることができないため、購入して手元に届いた商品のサイズあるいは色合いが、ユーザが端末装置の画面で確認したときの商品のサイズあるいは色合いが異なっていると、ユーザは商品を返品する場合がある。
【０００４】
このような場合が生じることをなくす為に、いろいろな提案がされている。例えば、商品とその商品が置かれる場所の画像を合成して、商品のサイズが設置される場所に設置可能なサイズであるか、及び商品の色や柄が周囲の設置場所に合うかを判断するために、端末装置の画面上に、設置場所の画像と商品の画像を合成して表示する提案がある。
【０００５】
また、基準となる色見本をユーザに予め配布し、ユーザが、端末装置の画面に表示された色見本と、配布された色見本を比較して、画面上で表示される色の変化が確認できるようにする提案もある。  
しかし、従来からのこれらの提案では、対象である商品の実際の大きさが実感できない、さらに、実際の色合いが確認できない、という問題がある。
【先行技術文献】
【特許文献】
【０００６】
【特許文献１】特開２００２−３１２６９４号公報
【特許文献１】特開２００３−２２８６５８号公報
【発明の概要】
【発明が解決しようとする課題】
【０００７】
そこで、本実施形態は、対象を実際のサイズと略同じサイズで、かつ対象の実際の色合いと略同じ色合いで表示することができる表示装置を提供することを目的とする。
【課題を解決するための手段】
【０００８】
実施形態の表示装置は、表示器に表示される画像の画像データを入力する画像データ入力部と、前記表示器に表示される前記画像を、指定された画質に調整する画質調整機能を有する画質調整部と、サイズ変更部と、画像出力部とを有する。サイズ変更部は、入力された前記画像データの前記画像についての、横方向の１ピクセル当たりの第１の長さ情報と、縦方向の１ピクセル当たりの第２の長さ情報と、前記画像を表示する表示器の表示領域の横方向の１ピクセル当たりの第３の長さ情報と、前記表示器の前記表示領域の縦方向の１ピクセル当たりの第４の長さ情報とに基づいて、前記画像の横倍率と縦倍率を計算する倍率計算部と、前記倍率計算部において計算して得られた前記横倍率と前記縦倍率で前記画像の横方向と縦方向のサイズを変更する。画像出力部は、前記画像データに色補正済みであることを示す情報あるいは色補正指示データが含まれている場合には、前記画質調整部の前記画質調整機能を無効にして、前記サイズ変更部において変更されたサイズの画像を出力する。
【図面の簡単な説明】
【０００９】
【図１】実施形態に係わるネットショッピングシステムの構成を説明するための図である。
【図２】実施形態に係わる、サーバ２の記憶装置５に記憶される商品の画像の取得方法を説明するための図である。
【図３】実施形態に係わる、サーバ２の記憶装置５に記憶される商品の画像の取得方法の他の例を説明するための図である。
【図４】実施形態に係わる、基準チャートRCの構成を示す図である。
【図５】実施形態に係わる、ターゲット画像TIに対する補正処理の流れの例を示すフローチャートである。
【図６】実施形態に係わる、１ピクセル当たりの長さの算出を説明するための図である。
【図７】実施形態に係わる、各ターゲット画像TIの画像データのデータ構造を示す図である。
【図８】実施形態に係わる、テレビジョン受像機３における商品画像に対する処理の流れの例を示すフローチャートである。
【図９】実施形態に係わる、テレビジョン受像機３の表示器６の画面上に表示された商品画像の例を説明するための図である。
【図１０】変形例１に係わる、テレビジョン受像機３において色補正処理を行う場合の、テレビジョン受像機３における商品画像に対する処理の流れの例を示すフローチャートである。
【発明を実施するための形態】
【００１０】
以下、図面を参照して実施形態を説明する。
【００１１】
（構成）
図１は、本実施形態に係わるネットショッピングシステムの構成を説明するための図である。  
ネットショッピングシステム１は、センタ装置としてのサーバ２と、表示装置としてのテレビジョン受像機３とを含み、そのサーバ２とテレビジョン受像機３は、ネットワークとしてのインターネット４を介して接続されている。
【００１２】
サーバ２は、商品データを蓄積する記憶装置５を有するコンピュータシステムである。多くの商品の商品データが記憶装置５の商品データ記憶部５ａに記憶されている。商品データ記憶部５ａに記憶されている各商品データは、商品の画像データを含む。各画像データは、後述する方法で撮像して得られ、かつ後述する方法で色補正がされた画像データであり、色補正済みであることを示す情報と後述するサイズ補正用情報とを含む。
【００１３】
サーバ２は、中央処理装置（以下、CPUという）２ａを有し、CPU２ａは、インターネット４を介する外部からの商品検索のアクセスを受信し、そのアクセスに基づいて記憶装置５に記憶された商品データを検索し、検索して抽出された商品データを、その商品検索のアクセスを行なった端末装置へ送信する処理など、ネットショッピングに関する各種処理を実行する。
【００１４】
サーバ２は、インターネット４に接続するための通信インターフェース２ｂを含んでいる。通信インターフェース２ｂは、インターネット４を介してテレビジョン受像機３からの画像要求を受けると、画像データを、インターネット４を介して送信する画像送信部を構成する。  
さらに、記憶装置５は、後述するように、色補正処理などのための各種データを記憶するデータ記憶部５ｂを有する。
【００１５】
テレビジョン受像機３は、テレビジョン放送を受信して、受信した放送番組を液晶装置などの表示器６の画面上に表示する通常のテレビ機能に加えて、インターネット４に接続して各種ウエブサイトにアクセスして、表示器６の画面上にウエブ画面を表示することができる通信ネットワーク接続機能を有する表示装置である。よって、テレビジョン受像機３のユーザは、テレビジョン受像機３を利用してネットショッピングをすることができる。
【００１６】
従って、テレビジョン受像機３は、図示しない放送番組を受信するチューナ回路などに加えて、CPU３ａ、記憶装置３ｂ、液晶装置などの表示器６に出力する画像処理部３ｃ、及びインターネット４に接続するための通信インターフェース３ｄを含んでいる。
【００１７】
CPU３ａは、テレビジョン受像機３の全体の制御、テレビ機能及び通信ネットワーク接続機能を実現するための制御を行うプログラムを実行する制御部である。  
記憶装置３ｂは、各種機能のためのプログラム、データを記憶するための、ROM、ハードディスクドライブなどの不揮発性メモリと、RAMなどの揮発性メモリとを含む。記憶装置３ｂに記憶されるプログラムには、テレビ機能を実現するためのプログラム、及びインターネット４上の各種ウエブサイトにアクセスして、画面上に各サイトの画像を表示するためのプログラムも含まれている。
【００１８】
よって、ユーザは、テレビジョン受像機３により、テレビジョン放送を受信して放送番組を視聴したり、インターネット４に接続して、ウエブ画面を表示させたりすることができる。
【００１９】
さらに、記憶装置３ｂには、後述する商品の画像データを表示するプログラムと、各種データが記憶されている。各種データには、テレビジョン受像機３の正確な仕様データが含まれる。テレビジョン受像機３のメーカは、テレビジョン受像機３の正確な仕様から、表示器６の表示領域のサイズと、縦横のピクセル数を正確に把握しているので、記憶装置３ｂの所定の記憶領域に、表示器６の表示領域における１ピクセル当たりの横方向の長さSx、及び１ピクセル当たりの縦方向の長さSyの情報を記憶されることができる。
【００２０】
例えば、表示器の表示領域の横方向の長さがdxで、縦方向の長さがdyであり、横方向のピクセル数がpxで、縦方向のピクセル数がpyであれば、１ピクセル当たりの横方向の長さSxは、（dx/px）であり、１ピクセル当たりの縦方向の長さSyは、（dy/py）である。
【００２１】
画像処理部３ｃは、画像を表示器６に最適な色合いで表示する表示モードで画像を処理する画像処理に加えて、視聴するコンテンツなどに応じて一部あるいは全体の色を強調する各種画質調整モードで画像を処理する画像処理を実行する処理部である。
【００２２】
画像を表示器６に最適な色合いで表示するように表示モードは、テレビジョン受像機３のメーカで、表示器６が自然な色合いで画像を表示するように、テレビジョン受像機３毎に個別に調整されて設定された標準表示モードである。
【００２３】
各種画質調整モードは、コンテンツなどに応じて、ユーザが選択し指定するモードであり、例えば、鮮やかモード、映画モードなどである。  
よって、画像処理部３ｃは、表示器６に表示される画像を、指定された画質に調整する画質調整機能を有する画質調整部を構成する。
【００２４】
通信インターフェース３ｄは、インターネット４を介して、ウエブサイトにアクセスして取得した画像を含む情報を入力するための処理部である。すなわち、通信インターフェース３ｄは、表示器６に表示される画像の画像データを入力する画像データ入力部を構成する。
【００２５】
図２は、サーバ２の記憶装置５に記憶される商品の画像の取得方法を説明するための図である。図３は、サーバ２の記憶装置５に記憶される商品の画像の取得方法の他の例を説明するための図である。ここでは、商品はTシャツである。
【００２６】
図２の場合、モデルMが商品Gを着て、デジタルカメラ１１により、商品Gが撮影される。モデルMすなわち商品Gの近傍には、基準チャート器１２が置かれている。デジタルカメラ１１から、商品Gまでの距離と基準チャート器１２までの距離が等しくなるように、基準チャート器１２は、商品Gの近傍に置かれている。基準チャート器１２は、台紙の表面に基準チャートRCが印刷された紙などが貼られ、床などに置くことができる器具である。
【００２７】
図３の場合、商品Gは、所定のテーブルT上に置かれて、デジタルカメラ１１により撮影される。テーブルT上には、基準チャート紙１３が貼られ、あるいは基準チャートRGが印刷されている。基準チャート紙１３は、基準チャートRCが印刷された紙である。
【００２８】
よって、図２及び図３のようにして、商品Gが撮影されるとき、商品Gと基準チャートRCは一緒に撮影される。このとき、デジタルカメラ１１から、商品Gまでの距離と基準チャートRCまでの距離が等しい。以下、商品Gと基準チャートRCが写っている画像をターゲット画像TIという。  
なお、複数の商品を撮影するときには、商品までの距離が同じで、かつ同じ照明条件下で撮影が行われるのであれば、全ての商品の撮影時に、基準チャート器１２を一緒に撮影しなくてもよい。
【００２９】
図４は、基準チャートRCの構成を示す図である。  
基準チャートRCは、色チャート部２１と、寸法チャート部２２とを含む。  
色チャート部２１は、互いに異なる複数の有彩色が印刷された部分２１ａと、無彩色の白、グレー、黒の印刷された部分２１ｂを有する。複数の有彩色が印刷された部分２１ａには、赤、黄、青、緑などのそれぞれの所定の基準色が印刷されている。無彩色の白、グレー、黒の印刷された部分２１ｂには、白、グレー、黒のそれぞれの所定の基準色が印刷されている。各有彩色と各無彩色の各色は、所定の形状の所定の色領域に印刷されている。  
色チャート部２１の各色領域に印刷される色は、予め決められているが、撮影時の照明条件により得られる画像中の色チャート部２１の各色領域のRGBの値は、異なる。そこで、本実施の形態では、後述するように、得られたターゲット画像TI中の色チャート部２１の所定の色領域のRGBの値の、予め決められた値との差を検出して、標準表示モードでテレビジョン受像機３に基準チャートRCを表示したときに、表示された基準チャートRCが実際の基準チャートと同じ色合いで表示されるように、その差に基づいて、ターゲット画像TIに対して色補正が行われる。
【００３０】
寸法チャート部２２は、画像の横方向に沿って所定の間隔で縦線２３が印刷されている横寸法チャート部２２ａと、画像の縦方向に沿って所定の間隔で横線２４が印刷されている縦寸法チャート部２２ｂとを有する。図４に示すように、横寸法チャート部２２ａに印刷された複数の縦線２３の間隔Lxは等しく、縦寸法チャート部２２ｂに印刷された複数の横線２４の間隔Lyも等しい。
【００３１】
なお、間隔Lxと間隔Lyは、等しくても、等しくなくてもよい。間隔Lxと間隔Lyの情報は、データ記憶部５ｂに記憶されている。  
さらになお、ここでは、複数の縦線２３と横線２４がそれぞれ等間隔で並んでいるが、それぞれは、あるいは一方は、等間隔でなくなくてもよい。
【００３２】
以上のように、各ターゲット画像TIは、商品の画像と、上述した基準チャートRCの画像とを含む。
【００３３】
（ターゲット画像に対する処理）
図２あるいは図３で説明したようにしてデジタルカメラ１１で撮像して得られた商品についてのターゲット画像TIに対して、サーバ２のCPU２ａによって、次の図５の処理が行われる。なお、図５の処理は、サーバ２以外の別なコンピュータで行うようにしてもよい。
【００３４】
図５は、ターゲット画像TIに対する補正処理の流れの例を示すフローチャートである。図５の処理は、商品データ記憶部５ａに記憶されている各ターゲット画像TIに対して行なわれる。
【００３５】
まず、CPU２ａは、商品データ記憶部５ａに記憶されているターゲット画像TIから寸法チャート部２２の領域を画像認識処理により認識する（S1）。S1では、CPU２ａは、複数の縦線２３と横線２４の形状と一致する画像領域を、パターンマッチング処理などにより抽出することによって、寸法チャート部２２の領域を特定することができる。S1の処理が、寸法チャート認識部を構成する。
【００３６】
次に、CPU２ａは、ターゲット画像TIの縦及び横方向の１ピクセル当たりの長さを算出する（S2）。S2の処理が、画像のピクセル当たりの長さ算出部を構成する。  
図６は、１ピクセル当たりの長さの算出を説明するための図である。図６に示すように、S1で認識された隣り合う２本の縦線２３の間隔Lxの値（実寸）は、既知であり、データ記憶部５ｂに予め記憶されている。そして、CPU２ａは、認識されたターゲット画像TIの寸法チャート部２２の２本の縦線２３間に存在する画素数Pxをカウントし、（Lx/Px）を計算する。Tx（＝Lx/Px）は、横方向の１ピクセル当たりの長さである。
【００３７】
図６では、縦線２３は、３つのピクセルｐの線幅を有し、２本の縦線２３の間隔Lx（既知）は、２本の縦線２３のそれぞれの中心間の距離で示されている。よって、Tx（＝Lx/Px）は、間隔Lxを、２本の縦線２３のそれぞれの中心間に存在するピクセルｐの数で除した値である。
【００３８】
同様に、S1で認識された隣り合う２本の横線２４の間隔Ly（既知）と、カウントされた２本の横線２４間に存在する画素数Pyとから、（Ly/Py）を計算する。Ty（＝Ly/Py）は、縦方向の１ピクセル当たりの長さである。
【００３９】
なお、Tx及びTyは、複数の組の隣り合う２本の縦線２３及び横線２４について算出されたTx及びTyの複数の値の平均値から決定するようにしてもよい。例えば、横方向において、隣り合う２本の縦線２３を３組だけ選択し、得られた１ピクセル当たりの横方向の３つの長さの平均値から、Txを決定するようにしてもよい。
【００４０】
CPU２ａは、S2で算出されたTx及びTyの各値のデータを、画像データについてのサイズ補正用データTTとして、メタデータ領域に書き込む（S3）。よって、ターゲット画像TIの画像データは、サイズ補正用データTTを含む。S3の処理がサイズ補正データ書込部を構成する。
【００４１】
図７は、各ターゲット画像TIの画像データのデータ構造を示す図である。ターゲット画像TIの画像データは、メタデータ部３１と、画像データ部３２を含んでいる。Tx及びTyを含むサイズ補正用データTTは、メタデータ部３１に記憶される。例えば、JPEGデータの場合、メタデータ部３１は、Exif領域である。
【００４２】
次に、CPU２ａは、商品データ記憶部５ａに記憶されているターゲット画像TIから色チャート部２１の領域を画像認識処理により認識する（S4）。S4では、CPU２ａは、複数の矩形の色領域の形状と一致する画像領域をパターンマッチング処理などにより抽出することによって、色チャート部２１の領域を特定することができる。S4の処理が、色チャート認識部を構成する。
【００４３】
次に、CPU２ａは、ターゲット画像TIの所定の色領域のRGBの各輝度値と予め決められたRGBについての各値との差を算出する（S5）。S5の処理が、差算出部を構成する。  
例えば、色チャート部２１中の所定のグレーの色領域GaのRGBの各輝度値と、データ部５ｂに予め記憶されている各基準輝度値との差が算出される。撮像して得られた色領域GaのRの画素の輝度値Rd、Gの画素の輝度値Gd及びBの画素の輝度値Bdと、それぞれ、色チャート部２１の色領域GaのRGBの基準輝度値Rr、Gr及びBrとの差が、それぞれ計算される。
【００４４】
そして、CPU２ａは、算出された差（Ra-Rr）、（Ga-Gr）及び（Ba-Br）の各値のデータに基づいて、画像データ部３２の画像の色補正を実行し（S6）、所定のフラグデータｆを、そのターゲット画像TIのメタデータ部３１に書き込む（S7）。フラグデータｆは、色補正済みであることを示す情報である。S6の処理が、色補正実行部であり、S7の処理が色補正済み情報書込部を構成する。  
なお、色チャート部２１中の複数の色領域の各色の差を算出し、得られた複数の差の平均値を用いて、色補正を実行するようにしてもよい。  
さらに、CPU２１は、基準チャートRCの部分を、ターゲット画像TIから削除する（S8）。
【００４５】
以上の処理が、デジタルカメラ１１で撮像して得られたターゲット画像TIの全てに対して行なわれる。よって、記憶装置５の商品データ記憶部５ａには、色補正されたターゲット画像TIの画像データが記憶され、インターネット４を介してテレビジョン受像機３からの商品検索があると、サーバ２は、その商品の画像として、S6で色補正された画像の画像データを配信する。
【００４６】
（表示処理）
次に、表示装置としてのテレビジョン受像機３における処理について説明する。  
上述したように、通常、テレビジョン受像機３は、放送番組の映像が適切な色で再現されるように、予め色調整がされているが、テレビジョン受像機３は、ユーザの指定により画質調整モードに設定されている場合がある。例えば、ユーザは、視聴するコンテンツに合わせて画質調整モードを変更する。上述したように、画質モードには、テレビジョン受像機３が予め有している映画モード、鮮やかモード、等があり、テレビジョン受像機３は、ユーザにより、標準表示モード以外の画質調整モードを設定されている場合がある。あるいは、テレビジョン受像機３は、ユーザによりマニュアルで細かく各色の強弱の設定が行われている場合もある。そこで、本実施の形態では、後述するように、ネットショッピング時には、ユーザが設定した画質調整モードあるいはユーザの設定内容は、無効にされる。
【００４７】
図８は、テレビジョン受像機３における商品画像に対する処理の流れの例を示すフローチャートである。テレビジョン受像機３において、通常の放送番組を受信して視聴する放送番組視聴モードから、インターネット４を利用したネットショッピングを行なうモードに切り替えられると、CPU３ａは、図８の処理を自動的に実行する。
【００４８】
なお、図８の処理は、ユーザによって、リモコンの操作ボタンなどに対する所定の操作コマンドが入力されると、実行されるようにしてもよい。
【００４９】
ネットショッピングへの切り替えは、例えば、CPU３ａが、ユーザによるリモコンなどの操作器への指示入力に基づいて行うことができる。
【００５０】
CPU３ａは、インターネット４を介して受信した画像データのメタデータ部３１からサイズ補正用データTTとフラグデータｆを読み出す（S11）。具体的には、CPU３ａは、画像データ中のメタデータを読み出して、メタデータ中から、サイズ補正用データTTとフラグデータｆを抽出して、Tx（＝Lx/Px）、Ty（＝Ly/Py）、及びフラグデータｆを取得する。
【００５１】
CPU３ａは、記憶装置３ｂに予め記憶されている表示器６の表示領域における１ピクセル当たりの横方向の長さSxと、１ピクセル当たりの縦方向の長さSyの情報を読み出して、横方向の倍率Axと、縦方向の倍率Ayを計算する（S12）。
【００５２】
すなわち、次の式（１）と（２）により、倍率AxとAyを求める。
【００５３】
Ax=Tx/Sx      ・・・（１）
Ay=Ty/Sy      ・・・（２）
S12の処理が、入力された画像データの画像についての、横方向の１ピクセル当たりの長さ情報Txと、縦方向の１ピクセル当たりの長さ情報Tyと、画像を表示する表示器の表示領域の横方向の１ピクセル当たりの長さ情報Sxと、表示器の表示領域の縦方向の１ピクセル当たりの長さ情報Syとに基づいて、画像の横倍率Axと縦倍率Ayを計算する倍率計算部を構成する。
【００５４】
次に、CPU３ａは、商品画像を横方向にAx倍し、かつ縦方向にAy倍するような、拡大（あるいは縮小）処理を実行する（S13）。S13の処理が、S12において計算して得られた横倍率Axと縦倍率Ayで画像の横方向と縦方向のサイズを変更するサイズ変更部を構成する。
【００５５】
次に、CPU３ａは、フラグデータｆが設定されているかを判定する（S14）。フラグデータｆが設定されているときは（S14:YES）、CPU３ａは、ユーザにより設定されている画質調整モードの機能を無効とする（S15）。ユーザにより設定されている画質調整モードの機能が無効とされる領域は、画面上で、商品が表示されている画像領域のみである。S15の処理が、画像データに、色補正済みであることを示す情報であるフラグデータｆが含まれている場合には、画質調整部の画質調整機能を無効にする画質調整無効部を構成する。
【００５６】
そして、CPU３ａは、商品画像を表示する表示領域の表示モードを、ドットバイドット（DotByDot）モードに切り替えて（S16）、ドットバイドット（DotByDot）モードで商品画像を表示する（S17）。よって、S17の処理が、S13において変更されたサイズの画像を出力する画像出力部を構成する。
【００５７】
例えば、ユーザがテレビジョン受像機３の画質調整モードを映画モードなどに設定していると、特定の１以上の色の強調がされ、表示６の画面上に表示される画像は、本来の色で表示されない。そこで、フラグデータｆが設定されているときは、画面に表示される画像は、色補正された画像であるので、画像が適切な色で再現されるように、ユーザが設定している映画モードに応じた色調整処理が行われないようにしている。
【００５８】
すなわち、ネットショッピング時には、テレビジョン受像機３の画面上で商品が適切な色合いで表現されるように、CPU３ａは、映画モードなどの画質調整モードの色調整処理を無効にする。その結果、テレビジョン受像機３では、商品の画像は、特定の色が強調されるなどの処理が行われていない、適切な色合いで表示される。  
さらに、S13で画像の拡大（あるいは縮小）処理が行なわれるので、ネットショッピング時には、画面上には、商品の画像が、商品の実際の大きさと略同じ大きさで表示される。  
なお、ユーザが、ネットショッピングをやめると、あるいは放送番組視聴モードに切り替えると、ユーザにより設定された画質調整モードあるいはユーザがマニュアルで設定した各色の設定値に応じた画質調整が行われるように、色調整処理は戻る。すなわち、ユーザがネット利用を終了すると、解除する前の画質調整が実行される。
【００５９】
以上のように、テレビジョン受像機３をインターネット４に接続してユーザがネットショッピングを行なうとき、商品画像データには、サイズ補正用データTTが含まれるため、テレビジョン受像機３では、そのサイズ補正用データTTに基づいて、画像を拡大あるいは縮小し、テレビジョン受像機３の表示器の画面の大きさに拘わらず、画面上に略実寸の商品の画像が表示される。
【００６０】
さらに、商品画像のメタデータ部にフラグデータｆが含まれるので、画像データにそのフラグデータｆが含まれていれば、テレビジョン受像機３では、商品の画像は、特定の色が強調されるようなことがない色合いで表示される。
【００６１】
図９は、テレビジョン受像機３の表示器６の画面上に表示された商品画像の例を説明するための図である。表示器６の画面上の商品画像表示領域４１には、商品画像が実寸で表示される。例えば、Tシャツのようなサイズの商品であれば、テレビジョン受像機３によっては、表示器６が商品全体が写し出されるような大きな表示領域を有しているものもあるので、ユーザは、テレビジョン受像機３で、商品の実際の大きさを実感することができ、さらに商品の画像も、特定の色が強調されるようなことがない実際の商品の色合いと略同じ色合いで表示されるので、ユーザは、商品の質感、素材感も把握し易い。
【００６２】
なお、図９に示すように、テレビジョン受像機３の表示器６の画面のサイズが大きい場合は、画面の一部のウインドウに商品の画像を表示すると、商品の全体がそのウインドウに表示されるが、表示器６の画面のサイズが小さい場合、画面上のウインドウも小さくなり、商品のほんの一部しか表示されない場合がある。そのような場合は、ユーザがそのウインドウを表示領域全体に拡大する拡大表示を選択して指示すると、そのウインドウがテレビジョン受像機３の表示器６の全画面表示に切り替わるようにすることによって、可能な限り商品の全体が表示されるようにしてもよい。
【００６３】
以上のように、上述した実施の形態及び各変形例によれば、対象物である商品を、実際の寸法と略同じサイズでかつ実際の色合いと略同じ色合いで表示することができる表示装置を実現することができる。
【００６４】
特に、ネットショッピングにおいて、表示装置がテレビジョン受像機であるとき、テレビジョン受像機の画面はPCやスマートフォンに比べて大きいため、ユーザは、実物の商品の大きさを実感でき、さらに画像も精細で、色合いも実物の商品と近い色合いで表示させることができるため、質感及び素材感も表現できるので、ユーザは、届いた商品を見たときに、違和感を覚えることが少なくなる。
【００６５】
なお、上述した例では、画像データを受信して、図８に示す各種処理等は、テレビジョン受像機３において実行されるが、モニタ装置に接続されるセットトップボックスにおいて実行されるようにしてもよい。この場合、セットトップボックスには、接続されるモニタ装置の表示領域の横と縦のサイズ(dx、dy)と横と縦のピクセル数（px,py）のデータが入力されて設定される。そのサイズ(dx、dy)とピクセル数（px,py）の情報とから、表示領域における１ピクセル当たりの横方向の長さSxと１ピクセル当たりの縦方向の長さSyが算出され、セットトップボックスのメモリに記憶される。よって、セットトップボックスが表示装置を構成する。
【００６６】
次に変形例を説明する。
【００６７】
（変形例１）
上述した実施の形態では、サーバ２に登録される商品画像は、色補正され、画像が色補正済みであることを示すフラグデータｆが、各画像データに含まれているが、画像データのメタデータ部に、色補正値を含めるようにして、テレビジョン受像機３において、色補正を行なうようにしてもよい。
【００６８】
すなわち、サーバ２において図５のS6の処理を行わず、テレビジョン受像機３のCPU３ａが、商品画像を表示するときに、S6の処理を実行するようにしてもよい。  
図１０は、テレビジョン受像機３において色補正処理を行う場合の、テレビジョン受像機３における商品画像に対する処理の流れの例を示すフローチャートである。図８と同じ処理については、同じ符号を付して説明は、省略する。
【００６９】
サーバ２は、S7において、フラグデータと共に、RGBの各輝度値の差のデータも、メタデータ３１に書き込む。  
一方、テレビジョン受像機３では、図１０に示すように、S15の処理の後に、S6の処理が実行される。
【００７０】
よって、図１０におけるS14からS17の処理が、画像データに色補正指示データが含まれている場合には、画質調整機能を無効にして、色補正処理を行い、かつS13において変更されたサイズの画像を出力する画像出力部を構成する。
【００７１】
このような構成によっても、テレビジョン受像機３では、商品の画像は、特定の色が強調されるようなことがない色合いで表示される。
【００７２】
（変形例２）
上述した実施の形態及び変形例のシステムは、サーバと、インターネットを介して接続されたテレビジョン受像機とからなるネットショッピングシステムであるが、サーバに記憶された商品画像を表示する商品表示システムとすることもできる。
【００７３】
例えば、大きな画面を有するテレビジョン受像機を利用して、サーバからの商品の画像データを、通信ラインを介して受信して、店頭などで、商品を展示するような商品表示システムとして、上述したシステムを構築することができる。
【００７４】
（変形例３）
上述した実施の形態及び変形例のシステムは、商品を表示するが、表示する対象は、人、動物などの、商品以外のものでもよい。
【００７５】
（変形例４）
基準チャート器あるいは基準チャート紙に示される基準チャートRCは、上述した実施の形態及び変形例では、１種類であるが、物体の大きさに応じて複数あってもよい。例えば、非常に小さな物を撮影する場合には、撮影はいわゆるマクロ撮影になるので、その物のサイズにあった寸法チャート部を有する基準チャートが印刷された基準チャート器が用いられるようにしてもよい。
【００７６】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００７７】
１  ネットショッピングシステム、２  サーバ、２ａ  CPU、２ｂ  通信インターフェース、３  テレビジョン受像機、３ａ  CPU、３ｂ  記憶装置、３ｃ  画像処理部、３ｄ  通信インターフェース、４  インターネット、５  記憶装置、５ａ  商品データ記憶部、５ｂ  データ記憶部、１１  デジタルカメラ、１２  基準チャート器、１３  基準チャート紙、２１  色チャート部、２２  寸法チャート部、２３  縦線、２４  横線、４１  商品画像表示領域。
【図１】
2014127857.tif 000003
【図２】
2014127857.tif 000004
【図３】
2014127857.tif 000005
【図４】
2014127857.tif 000006
【図５】
2014127857.tif 000007
【図６】
2014127857.tif 000008
【図７】
2014127857.tif 000009
【図８】
2014127857.tif 000010
【図９】
2014127857.tif 000011
【図１０】
2014127857.tif 000012